(57)【要約】【課題】配達完了データを報告先に無線通信する場合に、データが送信できない環境にあってもその後再送信操作を行うことなく配達完了データを自動的に再送信させる。【解決手段】バーコードリーダにより配達物に貼られている伝票からバーコード情報を読み取ると、マイクロプロセッサは、読み取ったバーコード情報を配達完了データとしてメモリの未送信メモリに格納する。そして、未送信メモリに格納されている全ての配達完了データを読み出して報告先のデータセンタに無線送信する。一定時間が経過してもデータセンタから受信済み応答を受信しなければ送信未完了と判断する。送信未完了を判断すると、配達完了データを未送信メモリに戻す。【選択図】    図３
2004253877.tif 000002
【特許請求の範囲】
【請求項１】
配達物の配達完了データを入力する入力手段と、この入力手段で入力した配達完了データを格納するメモリと、前記入力手段による配達完了データの入力が行われると、前記メモリに格納されている未送信の配達完了データをすべて報告先へ無線通信する通信手段と、報告先への配達完了データの通信が未送信に終了すると、配達完了データを未送信データとして前記メモリに戻す未送信処理手段とを備えたことを特徴とする携帯端末機。
【請求項２】
配達物の配達完了データを入力する入力手段と、この入力手段で入力した配達完了データを格納するメモリと、一定時間毎にタイムアウトするタイマと、このタイマがタイムアウトすると、前記メモリに格納されている未送信の配達完了データをすべて報告先へ無線通信する通信手段と、報告先への配達完了データの通信が未送信に終了すると、配達完了データを未送信データとして前記メモリに戻す未送信処理手段とを備えたことを特徴とする携帯端末機。
【発明の詳細な説明】
【０００１】
【発明の属する技術分野】
本発明は、配達物の配達を完了したことを無線で報告先へ報告する携帯端末機に関する。
【０００２】
【従来の技術】
従来、配達物の配達を完了したことを示す配達完了データを入力してメモリに格納し、所定の送信時刻になるとメモリから読み出して配達完了データを集中管理する上位装置へ通信回線を介して自動的に送信する端末装置が知られている（例えば、特許文献１参照）。
【０００３】
【特許文献１】
特開平４−４０７３２号公報（第４−５頁）
【０００４】
【発明が解決しようとする課題】
このように通信回線を介してデータを送信する場合には問題はないが、携帯端末機を使用して無線でデータを送信する場合には、例えば、地下街など環境によって通信が不能になる場合がある。このような場所からデータを送信しようとしてもデータは送信されずに残ることになる。このため、配達物を配達する人は、環境が変わった時、携帯端末機を操作して未送信のデータがあることを確認し、再送信する操作を行わなければならない面倒があった。また、再送信するのを忘れ、報告が遅れるという問題もあった。
【０００５】
そこで、本発明は、配達完了データを報告先に無線通信する場合に、データが送信できない環境にあってもその後再送信操作を行うことなく、未送信の配達完了データを自動的に再送信させることができ、再送信のための操作者の負担を軽減できる携帯端末機を提供する。
【０００６】
【課題を解決するための手段】
本発明は、配達物の配達完了データを、例えば、バーコード情報として入力する入力手段と、この入力手段で入力した配達完了データを格納するメモリと、入力手段による配達完了データの入力が行われると、メモリに格納されている未送信の配達完了データをすべて、配達データを管理している報告先へ無線通信する通信手段と、報告先への配達完了データの通信が未送信に終了すると、配達完了データを未送信データとしてメモリに戻す未送信処理手段とを備えたものである。
【０００７】
【発明の実施の形態】
以下、本発明の一実施の形態を、図面を参照して説明する。
図１は全体のシステム構成を示す図で、１は配達物を集配する集配基地である。この集配基地１では配達員と配達物との対応を登録するとともに配達物に関する詳細な情報を登録し、この登録したデータを、専用ネットワークを通じて報告先であるデータセンタ２に伝送するようになっている。なお、配達物としては書留郵便物や宅配物等がある。
【０００８】
前記データセンタ２は、集配基地１から逐次送られるデータを集計して配達物の集中管理を行うようになっている。
前記集配基地１で配達物の登録を済ませた配達員は配達物と携帯端末機３を持って出かけ、配達物を該当する受取人４に渡すことになる。
【０００９】
前記携帯端末機３は、図２に示すように、制御部本体を構成するマイクロプロセッサ１１を設け、このマイクロプロセッサ１１に、メモリ１２、操作部１３、ディスプレイ１４、バーコードリーダ１５、プリンタ１６、タイマ１７、通信制御部１８等を接続している。前記メモリ１２は未送信メモリと送信済みメモリを持っている。前記操作部１３は携帯端末機３の表面に配置され各種キーからなる。前記ディスプレイ１４は携帯端末機３の表面に配置され液晶ディスプレイからなる。
【００１０】
前記バーコードリーダ１５は入力手段を構成するもので携帯端末機３の先端部に設けられている。このバーコードリーダ１５は配達物に貼られている伝票に印刷されているバーコード情報、あるいは配達物に直接印刷されているバーコード情報を読み取り、配達完了データとして入力する。前記プリンタ１６は配達物の配達依頼を受けた時に受け取った金額等を印刷して領収書を発行口１９から発行するときなどに使用される。前記タイマ１７は一定のタイムアウト時間が設定され、タイムアウト時間をカウントする毎にタイムアウト信号を出力して再度タイムアウト時間をカウントするという動作を繰り返す。前記通信制御部１８は通信手段を構成し、アンテナ２０を介して前記データセンタ２と無線通信制御を行う。
【００１１】
配達員は配達物を受取人４に渡す時、前記携帯端末機３は図３に示す処理を行うようになっている。すなわち、先ず、Ｓ１にて、バーコードリーダ１５は、例えば配達済みとなる配達物に貼られている伝票からバーコード情報を読み取る。バーコード情報は、ＩＤ、配達物連番号、配達状態番号からなる。そして、Ｓ２にて、マイクロプロセッサ１１は、読み取ったバーコード情報を配達完了データとして前記メモリ１２の未送信メモリに格納する。
【００１２】
続いて、Ｓ３にて、マイクロプロセッサ１１は、未送信メモリに格納されている全ての配達完了データを読み出し、通信制御部１８から報告先のデータセンタ２に無線送信する。そして、Ｓ４にて、送信が完了したかを判断する。この判断はデータセンタ２からの受信済み応答をチェックすることで行い、一定時間が経過する前にデータセンタ２から受信済み応答を受信すると送信完了と判断し、一定時間が経過してもデータセンタ２から受信済み応答を受信しなければ送信未完了と判断する。
【００１３】
送信完了を判断すると、Ｓ５にて、送信済みの配達完了データを送信済みメモリに移して処理を終了する。また、送信が完了していないと判断すると、Ｓ６にて、配達完了データを未送信メモリに戻して処理を終了する。
【００１４】
また、前記携帯端末機３は前記タイマ１７がタイムアウトする毎に図４に示す割込み処理を行うようになっている。すなわち、Ｓ１１にて、未送信メモリに配達完了データがあるかをチェックし、無ければ処理を終了してメインルーチンへリターンする。また、未送信メモリに配達完了データがあれば、Ｓ１２にて、マイクロプロセッサ１１は、未送信メモリに格納されている全ての配達完了データを読み出し、通信制御部１８からデータセンタ２に無線送信する。
【００１５】
そして、Ｓ１３にて、送信が完了したかを判断する。送信完了を判断すると、Ｓ１４にて、送信済みの配達完了データを送信済みメモリに移してから処理を終了してメインルーチンへリターンする。また、送信が完了していないと判断すると、Ｓ１５にて、配達完了データを未送信メモリに戻してから処理を終了してメインルーチンへリターンする。
【００１６】
このような構成においては、集配基地１において配達員は自分が配達を受け持つ配達物を登録する。このときの登録データとしては、例えば、依頼人の住所、氏名、受取人の住所、氏名、配達物の内容、配達員コード等である。
【００１７】
配達員は配達物を持って配達に出かけ、配達物を該当する受取人に手渡す。このとき、例えば、配達物に貼られている伝票からバーコードリーダ１５を使用してバーコード情報を読み取る。読み取ったバーコード情報は配達完了データとしてメモリ１２の未送信メモリに格納される。そして、未送信メモリから全ての配達完了データが読み出される。すなわち、未送信メモリに以前に読み込んで未送信になっている配達完了データがあれば、その配達完了データも今回格納した配達完了データと共に読み出される。
【００１８】
読み出された配達完了データは通信制御部１８からアンテナ２０を介して報告先のデータセンタ２に無線送信される。通信環境が良好であれば、送信した配達完了データはデータセンタ２によって受信される。データセンタ２では、配達完了データを正しく受信できたことを確認すると、携帯端末機３に受信済み応答を行う。また、配達完了データを該当する登録データと照合し、登録データに配達完了を記録する。
【００１９】
携帯端末機３はデータセンタ２から受信済み応答を受信すると、送信した配達完了データを送信済みメモリに移す。
【００２０】
また、通信環境が悪く電波が届かない状態では配達完了データはデータセンタ２に受信されないので、一定時間が経過してもデータセンタ２から受信済み応答を受信することはない。このときには、携帯端末機３は配達完了データの未送信を判断し、この配達完了データを未送信メモリに戻す。
【００２１】
このように、受取人に配達物を手渡すときに携帯端末機３にバーコードの読み取りによって配達完了データを入力するが、このときに未送信メモリに未送信の配達完了データが残っていれば、今回の配達完了データとともにその未送信の配達完了データを再送信のための操作を行うこと無くデータセンタ２に自動的に送信する。
このように、新たな配達完了データを入力するタイミングで自動的に再送信されるので、配達員は未送信の配達完了データが残っていることを気にする必要はなく、再送信のための負担が軽減される。
【００２２】
また、携帯端末機３にはタイマ１７が設けられ、一定のタイムアップ時間毎に未送信メモリに未送信の配達完了データが残っているか否かを判断する。そして、残っていた場合には、再送信のための操作を行うこと無くその未送信の配達完了データをデータセンタ２に自動的に送信する。
【００２３】
このように、一定時間毎に自動的に再送信されるので、配達員は未送信の配達完了データが残っていることを気にする必要はなく、再送信のための負担が軽減される。
【００２４】
また、配達員は配達物の依頼を受けることもある。この場合は、依頼人のところへ行って配達物と配達伝票を受け取り、伝票に対する所定の作業を行った後、依頼人から配達料金を受け取る。このとき操作部１３を操作しプリンタ１６を駆動して発行口１９から領収書を発行し依頼人に手渡す。
なお、この実施の形態では携帯端末機に配達完了データを入力するのにバーコードリーダを使用してバーコード情報を読み込むようにしたが必ずしもこれに限定するものではなく、キー操作によって入力してもよい。
【００２５】
【発明の効果】
以上詳述したように本発明によれば、配達完了データを報告先に無線通信する場合に、データが送信できない環境にあってもその後再送信操作を行うことなく、未送信の配達完了データを自動的に再送信させることができ、再送信のための操作者の負担を軽減できる。
【図面の簡単な説明】
【図１】本発明の一実施の形態における全体のシステム構成を示す図。
【図２】同実施の形態で使用する携帯端末機の構成を示すブロック図。
【図３】同実施の形態における携帯端末機の、配達完了データの入力時の処理を示す流れ図。
【図４】同実施の形態における携帯端末機のタイマ割り込み処理を示す流れ図。
【符号の説明】
２…データセンタ、３…携帯端末機、１１…マイクロプロセッサ、１２…メモリ、１５…バーコードリーダ、１７…タイマ、１８…通信制御部。
【図１】
2004253877.tif 000003
【図２】
2004253877.tif 000004
【図３】
2004253877.tif 000005
【図４】
2004253877.tif 000006